(57)【要約】【課題】取付対象物を建造物の壁面に固定する際に、その取付作業の邪魔になることなく、取付対象物を見栄えよく設置することのできる、傾き検出器を提供する。【解決手段】アンテナ装置に付属品として設けられる設置用の工具は、金属板を曲げ・絞り等の板金加工することで長尺形状に形成され、その中心軸方向にスパナ部７２、レンチ部７４、傾き検出用の開口部７６、傾き検出用の係止部７８、及び、レンチ部８０が順に形成されている。そして、アンテナ装置の取付金具６０を壁面に固定する際には、係止部７８を、取付金具６０の突片８２に引っ掛け、工具７０を垂下させた状態で、開口部７６から取付金具６０を覗くことで、開口部７６に対するボルト６６の位置から、取付金具６０の傾きを確認することができる。【選択図】図５
2014066642.tif 000002
【特許請求の範囲】
【請求項１】
取付対象物を建造物の壁面に固定する際に、取付対象物の傾きを検出するのに用いられる傾き検出器であって、
板状部材にて長尺形状に形成された検出器本体と、
前記検出器本体の板面の長手方向中心軸上で、当該長手方向の一端側に偏心した位置に突設され、前記取付対象物に係止可能な係止突起と、
前記検出器本体の板面の長手方向中心軸上で、当該長手方向の他端側に偏心した位置に形成された開口部と、
を備えたことを特徴とする傾き検出器。
【請求項２】
前記検出器本体の板面の長手方向一端側には、ボルト若しくはナットに嵌合可能な嵌合孔が形成されていることを特徴とする請求項１に記載の傾き検出器。
【請求項３】
前記嵌合孔は、前記開口部に隣接しており、
前記開口部の前記嵌合孔側内周端縁には、前記板状部材を曲げ加工することにより、前記嵌合孔に嵌合されたボルト若しくはナットに当接して、当該ボルト若しくはナットが前記嵌合孔から抜けるのを防止する抜止防止片が突設されていることを特徴とする請求項２に記載の傾き検出器。
【請求項４】
電子機器のケースを建造物の壁面に固定するのに用いられる固定具であって、
当該固定具を前記建造物の壁面に固定した際、前記係止突起を介して請求項１〜請求項３の何れか１項に記載の傾き検出器を垂下可能な凹部を備え、
当該凹部の底面は、前記係止突起と点接触するよう凸状に形成されていることを特徴とする固定具。
【発明の詳細な説明】
【技術分野】
【０００１】
本発明は、取付対象物を建造物の壁面に固定するのに用いられる固定具を、建造物の壁面に固定する際に、固定具の傾きを検出するのに好適な傾き検出器、及び、この傾き検出器にて傾きを検出するのに好適な固定具、に関する。
【背景技術】
【０００２】
従来、電気機器を収納するためのケースを、建造物の壁面に見栄えよく設置できるようにするため、ケースの背板に水平器を設けることが提案されている（例えば、特許文献１参照）。
【先行技術文献】
【特許文献】
【０００３】
【特許文献１】特開２０１０−２１２３１２号公報
【発明の概要】
【発明が解決しようとする課題】
【０００４】
しかしながら、上記提案のようにケースの背面に水平器を設けた場合、壁面への設置時に水平器を用いてケースの傾きを検出することはできるものの、水平器はケースの背面に設けられるため、見難く、傾きを検出し難いという問題がある。
【０００５】
また、この問題を防止するには、水平器をケースから取り外すことができるようにし、且つ、水平器自体を、使用者が傾きを検出し易い大きなものにすればよい。
しかし、このようにすると、ケースを高所に設置するような場合、例えば、テレビ放送受信用のアンテナ装置を建造物の壁面に設置するような場合に、水平器が設置作業の邪魔になるという問題が生じる。
【０００６】
本発明は、こうした問題に鑑みなされたものであり、電子機器の収納ケース等、取付対象物を建造物の壁面に固定する際に、その取付作業の邪魔になることなく、取付対象物を見栄えよく設置することのできる、傾き検出器及び固定具を提供することを目的とする。
【課題を解決するための手段】
【０００７】
かかる目的を達成するためになされた請求項１に記載の発明は、取付対象物を建造物の壁面に固定する際に、取付対象物の傾きを検出するのに用いられる傾き検出器であって、
板状部材にて長尺形状に形成された検出器本体と、
前記検出器本体の板面の長手方向中心軸上で、当該長手方向の一端側に偏心した位置に突設され、前記取付対象物に係止可能な係止突起と、
前記検出器本体の板面の長手方向中心軸上で、当該長手方向の他端側に偏心した位置に形成された開口部と、
を備えたことを特徴とする。
【０００８】
また、請求項２に記載の発明は、請求項１に記載の傾き検出器において、
前記検出器本体の板面の長手方向一端側には、ボルト若しくはナットに嵌合可能な嵌合孔が形成されていることを特徴とする。
【０００９】
また、請求項３に記載の発明は、請求項２に記載の傾き検出器において、
前記嵌合孔は、前記開口部に隣接しており、
前記開口部の前記嵌合孔側内周端縁には、前記板状部材を曲げ加工することにより、前記嵌合孔に嵌合されたボルト若しくはナットに当接して、当該ボルト若しくはナットが前記嵌合孔から抜けるのを防止する抜止防止片が突設されていることを特徴とする。
【００１０】
一方、請求項４に記載の発明は、電子機器のケースを建造物の壁面に固定するのに用いられる固定具であって、
当該固定具を前記建造物の壁面に固定する際、前記係止突起を介して請求項１〜請求項３の何れか１項に記載の傾き検出器を垂下可能な凹部を備え、
当該凹部の底面は、前記係止突起と点接触するよう凸状に形成されていることを特徴とする。
【発明の効果】
【００１１】
請求項１に記載の傾き検出器によれば、係止突起が上方、開口部が下方となるよう、検出器本体を上下方向に配置し、係止突起を取付対象物に係止させれば、検出器本体が取付対象物に対し鉛直方向に垂下されることになり、開口部から取付対象物を覗くことで、取付対象物の傾きを確認することができる。
【００１２】
よって、本発明の傾き検出器によれば、水平器を用いるよりも、取付対象物の傾きを簡単に確認することができる。
また、本発明の傾き検出器は、金属板等の板状部材を加工することにより簡単に構成でき、水平器に比べて構造が簡単であるので、安価に実現できる。
【００１３】
また、本発明の傾き検出器は、構造が簡単で薄型になることから、持ち運びがし易く、高所作業の妨げになるのを防止できる。
次に、請求項２に記載の傾き検出器によれば、ボルト若しくはナットに嵌合可能な嵌合孔が形成されているので、取付対象物の壁面取付用の工具としても利用することができる。
【００１４】
このため、取付対象物の取付作業に用いる工具の数を減らすことができ、特に、高所での作業性を向上することができる。
また、請求項３に記載の傾き検出器によれば、開口部の嵌合孔側内周端縁から嵌合孔に向けて抜止防止片が突設されているので、傾き検出器を用いてボルト若しくはナットを締め付ける際の作業性を向上することができる。
【００１５】
一方、請求項４に記載の固定具によれば、当該固定具を建造物の壁面に固定する際に、本発明の傾き検出器を垂下可能な凹部が設けられており、その凹部の底面は、前記係止突起と点接触するよう凸状に形成されている。このため、係止突起を介して傾き検出器を凹部に垂下させた際に、係止突起と凹部の底面とを点接触させることができる。
【００１６】
よって、傾き検出器を凹部に垂下させた際には、固定具の傾き状態によらず、傾き検出器は常に鉛直方向に垂下されることになり、使用者は、開口部から固定具を覗くことで、固定具の傾きを良好に検出することができる。
【００１７】
なお、開口部から固定具等の取付対象物を覗くことで、その傾きを目視で検出できるようにするには、取付対象物において、係止突起が係止される位置から下方に真っ直ぐ延びる目印があるとよく、その目印がなければ、取付対象物自体に線を引くようにすればよい。
【図面の簡単な説明】
【００１８】
【図１】実施形態のアンテナ装置の外観を表し、（ａ）はアンテナ装置を斜め正面側から見た状態を表す斜視図、（ｂ）はアンテナ装置を斜め裏面側から見た状態を表す斜視図である。
【図２】実施形態の取付金具及び取付金具のアンテナ装置への装着状態を表す説明図である。
【図３】アンテナ装置を建造物の壁面に取り付ける際に用いられる工具の構成を表し、（ａ）は工具を表面側から見た状態を表す斜視図、（ｂ）は工具を裏面側から見た状態を表す斜視図である。
【図４】図３に示す工具を用いて締め付け可能なＦ型コネクタ及び支柱取付ボルトを表す説明図である。
【図５】図３に示す工具を用いて取付金具の傾きを検出する際の手順を説明する説明図である。
【発明を実施するための形態】
【００１９】
以下に本発明の実施形態を図面と共に説明する。
図１に示すように、本実施形態のアンテナ装置２は、ＵＨＦ帯のテレビ放送電波を受信するためのものであり、放射器及び反射器を、電波を透過可能な合成樹脂製で防水型のアンテナケース８内に収納することにより構成されている。
【００２０】
ここで、アンテナケース８内に収納される放射器は、金属板等からなる導電材料の薄板を、例えば金型を使って打ち抜き成形することにより構成されたスケルトンスロットアンテナにて構成されている。
【００２１】
また、反射器も、金属板等からなる導電材料の薄板を、例えば金型を使って所定の形状に打ち抜き成形することにより構成されている。
そして、放射器及び反射器は、アンテナケース８内に間隔を空けて対向配置される。
【００２２】
このため、アンテナケース８は、厚みのない薄型の箱形状になっている。
なお、こうした放射器及び反射器の構成については、本願出願人が出願した特開２０１２−１０３２８号公報等に記載されており、本願発明の主要部ではないので、詳細な説明は省略する。
【００２３】
次に、アンテナケース８は、反射器の板面よりも大きい開口部を有する扁平な箱状のケース本体１０と、このケース本体１０に放射器及び反射器を収納した状態で開口部を閉塞するカバー５０とから構成されている。
【００２４】
そして、ケース本体１０の裏面には、アンテナケース８内の放射器の給電点に接続されたＦ型接栓２２を保護する端子ケース２０、及び、アンテナ装置２を建造物の壁面若しくは支柱に固定するための取付金具６０が装着される装着部３０、が形成されている。
【００２５】
なお、端子ケース２０は、Ｆ型接栓２２における放射器への接続部分を保護すると共に、Ｆ型接栓２２のコネクタ接続部分をアンテナ装置２の下方に突出させて、その接続部分を雨水から保護するためのものである。
【００２６】
次に、取付金具６０は、図２（ａ）に示すように、建造物の壁面や支柱に当接される板状の当接部６２と、この当接部６２の上下両端縁から当接部６２の当接面とは直交する方向に延設された一対の支持片６４ａ、６４ｂと、これら一対の支持片６４ａ、６４ｂを貫通するように設けられるボルト６６とから構成されている。
【００２７】
そして、一対の支持片６４ａ、６４ｂの内、上方の支持片６４ａには、ボルト６６の先端に形成されたねじ部と螺合可能なナット６８が設けられており、下方の支持片６４ｂには、ボルト６６が挿通される挿通孔６９が形成されている。
【００２８】
また、この挿通孔６９は、ボルト６６のねじ部６７を螺合可能なねじ山（雌ネジ）が形成されており、ボルト６６のねじ部６７から頭部に至る部分は、ねじ部６７よりも小径になっている。
【００２９】
このため、ボルト６６は、ねじ部６７を、支持片６４ｂの挿通孔６９を通して支持片６４ａと６４ｂとの間に配置しておけば、ねじ部６７を支持片６４ａのナット６８に螺合しなくても、取付金具６０から抜け落ちることはない。
【００３０】
一方、装着部３０は、アンテナケース８の下方端縁に沿って形成されており、上下方向の長さが、取付金具６０の上下の支持片６４ａ、６４ｂの間に挿入可能な長さに設定されている。そして、装着部３０には、その内部を上下方向に貫通するよう、断面Ｔ字状で幅方向に長いボルト挿通孔３２が形成されている。
【００３１】
また、ボルト挿通孔３２の内、Ｔ字の幅方向の横方向の長孔は、ケース本体１０の裏面に対し略平行に形成され、Ｔ字の縦方向の孔は、ケース本体１０の裏面に向けて形成されている。
【００３２】
そして、取付金具６０は、上下の支持片６４ａ、６４ｂでボルト挿通孔３２の両端を覆うように、装着部３０に装着され、装着後、ボルト６６をボルト挿通孔３２に通して、ボルト６６のねじ部６７をナット６８に螺合し、締め付けることにより、位置決め固定される。
【００３３】
従って、ねじ部６７をナット６８に締め付ける前は、ボルト６６をボルト挿通孔３２内で移動させることができる。よって、図２（ｂ）〜（ｄ）に例示するように、ボルト６６（換言すれば取付金具６０）と、ケース本体１０（換言すればアンテナ装置２）との相対位置を変更できると共に、ボルト６６を中心としてアンテナ装置２を回動させることで、アンテナ装置２からの電波の放射方向を任意に設定することができる。
【００３４】
なお、図１（ａ）に示すように、ケース本体１０の裏面側には、アンテナケース８の上下・左右の４箇所に、Ｆ型コネクタ２６を介してＦ型接栓２２に接続された同軸ケーブル２８（図４（ａ）参照）を固定するためのケーブル固定部３６が形成されている。
【００３５】
また、同じくケース本体１０の裏面側には、アンテナケース８の上下方向の略中央で、左右両側に、上下方向に長い矩形の凹部３８が形成されている。この凹部３８は、アンテナ装置２を運ぶ際に、作業者等が凹部３８に指を入れて、アンテナ装置２を簡単に運ぶことができるようにするためのものである。
【００３６】
次に、本実施形態のアンテナ装置２には、アンテナ装置２の設置用の工具として、図３に示す工具７０が付属品として設けられている。
この工具７０は、金属板を曲げ・絞り等の板金加工することで長尺形状に形成され、その板面には、中心軸に沿って、スパナ部７２、レンチ部７４、傾き検出用の開口部７６、傾き検出用の係止部７８、及び、レンチ部８０が順に形成されている。
【００３７】
スパナ部７２は、図４（ａ）に示したＦ型コネクタ２６をＦ型接栓２２に螺合し、締め付けるためのものであり、Ｆ型接栓２２に螺合可能なナット部を外嵌可能に形成されている。
【００３８】
そして、スパナ部７２は、工具７０の長手方向一端側に開口している。このため、同軸ケーブル２８の先端に装着されたＦ型コネクタ２６に対し、横方向から簡単に嵌合させることができる。
【００３９】
また、レンチ部７４は、図２（ａ）に示した取付金具６０のボルト６６を締め付けるためのものであり、ボルト６６の頭部を外嵌可能に形成されている。
そして、レンチ部７４の開口一端側には、隣接する開口部７６の内周端縁から金属板を曲げ加工することにより、レンチ部７４に嵌合されたボルト６６に当接して、ボルト６６がレンチ部７４から抜けるのを防止する抜止防止片７４ａが設けられている。
【００４０】
また、レンチ部８０は、取付金具６０に支柱挟持用の金具９０を取り付けるためのボルト９２（図４（ｂ）参照）を締め付けるためのものであり、そのボルト９２の頭部を外嵌可能に形成されている。
【００４１】
そして、レンチ部８０の開口一端側にも、工具７０の長手方向他端側から金属板を曲げ加工することにより、レンチ部８０に嵌合されたボルト９２に当接して、ボルト９２がレンチ部８０から抜けるのを防止する抜止防止片８０ａが設けられている。
【００４２】
次に、係止部７８及び開口部７６は、工具７０を検出器本体として、本発明の傾き検出器としての機能を実現するためのものであり、係止部７８は、工具７０の板面の長手方向中心軸上で、レンチ部８０側に偏心した位置に形成され、開口部７６は、工具７０の板面の長手方向中心軸上で、レンチ部７４及びスパナ部７２側に偏心した位置に形成されている。
【００４３】
そして、係止部７８は、図５に示すように、取付金具６０を建造物の壁面に取り付ける際に、工具７０のスパナ部７２を下方にして、取付金具６０の支持片６４ａのナット６８側先端部分に立設された突片８２に引っ掛け、突片８２を介して工具７０を取付金具６０に垂下させるのに用いられる。
【００４４】
なお、取付金具６０に設けられた突片８２の上端中心部分には、工具７０の係止部７８を引っ掛けるための凹部８４が形成されている。そして、この凹部８４の底面は、図５（ａ）から明らかなように、中心部分が盛り上がった円弧形状になっている。
【００４５】
従って、取付金具６０を建造物の壁面に取り付ける際に、工具７０の係止部７８を取付金具６０の凹部８４に引っ掛ければ、係止部７８が凹部８４の底面と点接触して、工具７０が鉛直方向に垂下されることになり、取付金具６０を壁面に固定する作業者は、下方の開口部７６から取付金具６０を覗くことで、開口部７６に対するボルト６６の位置から、取付金具６０が傾いているか否かを簡単に判断することができる。
なお、凹部８４の底面は、必ずしも円弧形状にする必要はなく、例えば、頂点を有する三角形状など、工具７０の係止部７８と点接触可能な凸状であればよい。
【００４６】
以上説明したように、本実施形態のアンテナ装置２によれば、取付金具６０を介して建造物の壁面にアンテナ装置２を固定する際には、付属の工具７０を用いて傾きを確認しつつ、取付金具６０を壁面に真っ直ぐ取り付けることができる。
【００４７】
また、壁面に固定した取付金具６０にアンテナ装置２の本体を取り付ける際には、工具７０のレンチ部７４を使って、ボルト６６を締め付けることができる。
また、アンテナ装置２のＦ型接栓２２に、同軸ケーブル２８の先端に設けられたＦ型コネクタ２６を接続する際には、工具７０のスパナ部７２を利用することができる。
【００４８】
また、取付金具６０を支柱に固定する際には、支柱を挟んで取付金具６０に支柱挟持用の金具９０を取り付けるためのボルト９２を、工具７０のレンチ部８０を使って、しっかりと締め付けることができる。
【００４９】
そして、レンチ部７４及びレンチ部８０の開口一端側には、抜止防止片７４ａ、８０ａが配置されているので、レンチ部７４、８０によるボルト６６、９２の締付時に、レンチ部７４、８０からボルト６６、９２が抜けるのを防止することができ、その際の作業性を向上することができる。
【００５０】
なお、本実施形態において、取付金具６０は、特許請求の範囲に記載の取付対象物或いは固定具に相当する。
以上、本発明の一実施形態について説明したが、本発明は、上記実施形態に限定されるものではなく、本発明の要旨を逸脱しない範囲内にて、種々の態様をとることができる。
【００５１】
例えば、上記実施形態では、傾き検出器として工具７０は、アンテナ装置２の取付金具６０を建造物の壁面に取り付ける際に、その傾きを検出するのに用いられるものとして説明したが、本発明の傾き検出器は、アンテナ装置２自体の傾きを検出するのに用いることもできるし、アンテナ装置２とは異なる装置の傾きを検出するのにも用いることができる。
【００５２】
また、本発明の傾き検出器は、スパナ部７２やレンチ部７４、８０のない傾き検出専用の板状の器具として構成することもできる。
【符号の説明】
【００５３】
２…アンテナ装置、８…アンテナケース、１０…ケース本体、２０…端子ケース、２２…Ｆ型接栓、２６…Ｆ型コネクタ、２８…同軸ケーブル、３０…装着部、３２…ボルト挿通孔、３６…ケーブル固定部、３８…凹部、５０…カバー、６０…取付金具、６２…当接部、６４ａ，６４ｂ…支持片、６６…ボルト、６７…ねじ部、６８…ナット、６９…挿通孔、７０…工具、７２…スパナ部、７４…レンチ部、７４ａ…抜止防止片、７６…開口部、７８…係止部、８０…レンチ部、８０ａ…抜止防止片、８２…突片、８４…凹部、９０…金具、９２…ボルト
【図１】
2014066642.tif 000003
【図２】
2014066642.tif 000004
【図３】
2014066642.tif 000005
【図４】
2014066642.tif 000006
【図５】
2014066642.tif 000007